(57)【要約】【課題】端末機器の音声入出力用のジャックに挿入するプラグをそのまま携帯端末用タッチペンとすることができ、したがって前記プラグの後端部に装飾部材を直接取り付けることができるようにした携帯端末用タッチペンを提供する。【解決手段】端末機器の音声入出力用のジャックに挿入するプラグと、該プラグに外側からはめ込んだタッチペン用カバーとで構成され、前記端末機器の静電容量式のタッチパネルに当ててタッチペンの代わりとして使用するための携帯端末用タッチペンであって、前記タッチペン用カバーは前記プラグの側面にはめ込む部分は絶縁性を持たせ、かつ先端部分は導電性を有する弾性素材で構成したことを特徴とする携帯端末用タッチペン。【選択図】 図１
2014178782.tif 000002
【特許請求の範囲】
【請求項１】
端末機器の音声入出力用のジャックに挿入するプラグと、該プラグに外側からはめ込んだタッチペン用カバーとで構成され、前記端末機器の静電容量式のタッチパネルに当ててタッチペンの代わりとして使用するための携帯端末用タッチペンであって、前記プラグは指で挟んで持つ部分を含めて導電性を備えており、前記タッチペン用カバーは前記プラグの側面にはめ込む部分に絶縁性を持たせ、かつ先端部分は導電性を有する弾性素材で構成したことを特徴とする携帯端末用タッチペン。
【請求項２】
前記タッチペン用カバーは、前記プラグの側面にはめ込む部分と、導電性を有する弾性素材で構成した先端部分とを一体化したことを特徴とする請求項１に記載の携帯端末用タッチペン。
【請求項３】
前記タッチペン用カバーは、前記プラグの側面にはめ込む部分と、導電性を有する弾性素材で構成した先端部分とをシリコンゴム製として一体化し、前記先端部分には導電性カーボンや銅、鉄、その他の導電金属、その他の導電材料を配合したことを特徴とする請求項１または２に記載の携帯端末用タッチペン。
【請求項４】
前記タッチペン用カバーは、前記プラグの側面にはめ込む部分と、導電性を有する弾性素材で構成した先端部分とを成形工程において一体化したことを特徴とする請求項１ないし３のいずれかに記載の携帯端末用タッチペン。
【請求項５】
前記タッチペン用カバーは、前記プラグの側面にはめ込む部分の端部外周に段差を設け、導電性を有する弾性素材で構成した先端部分を前記端部外周にはめ込んで接合一体化したことを特徴とする請求項１ないし４のいずれかに記載の携帯端末用タッチペン。
【発明の詳細な説明】
【技術分野】
【０００１】
この発明は、携帯電話やタブレット型情報端末のような携帯型情報端末（ＰＤＡ）、携帯型音楽プレーヤ等の端末機器の静電容量式のタッチパネルを操作するための携帯端末用タッチペンに関する。
【背景技術】
【０００２】
近時、携帯電話やタブレット型情報端末のような携帯型情報端末（ＰＤＡ）、携帯型音楽プレーヤ等の端末機器には静電容量式のタッチパネルが採用されている。
従来、前記静電容量式のタッチパネルの操作は、直接、指をタッチパネルに当てる操作のほか、タッチペンが用いられている。前記指による操作の場合、特に、端末機器が小型で、タッチパネルの表示が小さい場合には、指が目的外の表示にも当たり、しばしば誤動作となることがあった。その他、指タッチによりタッチパネルの表面に指の汚れが付着する場合があった。
【０００３】
他方、前記タッチペンによる操作の場合には、前記指による操作の場合と異なり、タッチパネルの必要な表示にピンポイントでタッチすることができ誤動作を防止することができるというメリットがある。
そのようなタッチペンとして、以下のようなイヤホンジャックを活用した例がある。
例えば実用新案登録第３１７６６６７号公報（特許文献１参照）には、携帯機器に装着可能なタッチペンであって、ボディ部と、ボディ部の一端に連続して設けられる装着部と、ボディ部の他端に連続して設けられる把持部と、把持部のボディ部へ連続する端とは反対の端に設けられる先端部と、ボディ部に装着され、装着部から延出したプラグ部と、把持部又は装着部に着脱自在なキャップ部とを備えるタッチペンが提案されている。
【０００４】
実用新案登録第３１７６９２３号公報（特許文献２参照）には、指先に嵌る本体部と、該本体部の前端部に突出させて形成された伝導部とからなるタッチパネル操作具、好ましくは、指先に嵌めた状態の本体部の上面に爪部が表示されてなるタッチパネル操作具が提案されている。
【０００５】
実用新案登録第３１８０１３１号公報（特許文献３参照）には、携帯端末用のタッチペンであって、所定の形状に形成された本体と、前記本体の先端に形成され、携帯端末のタッチパネルに触れるタッチ部とを具備し、前記本体は、導電性樹脂で構成され、前記本体の表面には導電性塗料が塗布されることを特徴とする携帯端末用タッチペンが提案されている。
【先行技術文献】
【特許文献】
【０００６】
【特許文献１】実用新案登録第３１７６６６７号公報
【特許文献２】実用新案登録第３１７６９２３号公報
【特許文献３】実用新案登録第３１８０１３１号公報
【発明の概要】
【発明が解決しようとする課題】
【０００７】
この発明は、タッチペンと同様にタッチの際の誤動作を防止でき、タッチパネルを汚すことがなく、携帯時などの取り扱いが容易な静電容量式の携帯端末用タッチペンであって、端末機器の音声入出力用のジャックに挿入するプラグをそのまま携帯端末用タッチペンとすることができ、したがって前記プラグの後端部に装飾部材を直接取り付けることができるようにした携帯端末用タッチペンを提供することを目的とする。
【課題を解決するための手段】
【０００８】
すなわち前記課題を解決するため、この発明に係る携帯端末用タッチペンは、端末機器の音声入出力用のジャックに挿入するプラグと、該プラグに外側からはめ込んだタッチペン用カバーとで構成され、前記端末機器の静電容量式のタッチパネルに当ててタッチペンの代わりとして使用するための携帯端末用タッチペンであって、前記プラグは指で挟んで持つ部分を含めて導電性を備えており、前記タッチペン用カバーは前記プラグの側面にはめ込む部分は絶縁性を持たせ、少なくとも先端部分は導電性を有する弾性素材で構成したことを特徴とするものである。
【０００９】
この発明に係る携帯端末用タッチペンにおいて、前記タッチペン用カバーは、前記プラグの側面にはめ込む部分と、導電性を有する弾性素材で構成した先端部分とを一体化したことをも特徴とするものである。
【００１０】
この発明に係る携帯端末用タッチペンにおいて、前記タッチペン用カバーは、前記プラグの側面にはめ込む部分と、導電性を有する弾性素材で構成した先端部分とをシリコンゴム製として一体化し、前記先端部分には導電性カーボンや銅、鉄、その他の導電金属、その他の導電材料を配合したことをも特徴とするものである。
【００１１】
この発明に係る携帯端末用タッチペンにおいて、前記タッチペン用カバーは、前記プラグの側面にはめ込む部分と、導電性を有する弾性素材で構成した先端部分とを成形工程において一体化したことをも特徴とするものである。
【００１２】
この発明に係る携帯端末用タッチペンにおいて、前記タッチペン用カバーは、前記プラグの側面にはめ込む部分の端部外周に段差を設け、導電性を有する弾性素材で構成した先端部分を前記端部外周にはめ込んで接合一体化したことをも特徴とするものである。
【発明の効果】
【００１３】
この発明によれば、タッチペンと同様にタッチの際の誤動作を防止でき、タッチパネルを汚すことがなく、携帯時などの取り扱いが容易な静電容量式の携帯端末用タッチペンを得ることができる。
また、端末機器の音声入出力用のジャックに挿入するプラグをそのまま携帯端末用タッチペンとすることができ、したがって前記プラグの後端部に装飾部材を直接取り付けることができて装飾性に優れた携帯端末用タッチペンを得ることができるようになった。
【図面の簡単な説明】
【００１４】
【図１】この発明の実施の一形態に係る携帯端末用タッチペンの中央を縦に切断した状態の側面図である。
【図２】その断面図である。
【図３】その斜視図である。
【図４】その中央を縦に切断した状態の斜視図である。
【図５】この発明の実施の一形態に係る携帯端末用タッチペンの保持部分に先端部分をはめ込む段階の中央を縦に切断した状態の側面図である。
【図６】その断面図である。
【図７】その斜視図である。
【図８】その中央を縦に切断した状態の斜視図である。
【図９】この発明の携帯端末用タッチペンを構成するプラグを携帯端末に挿入した状態の概略図である。
【図１０】この発明の携帯端末用タッチペンの使用状態の概略図である。
【発明を実施するための形態】
【００１５】
以下に、添付図面を参照してこの発明の携帯端末用タッチペンを実施するための形態について説明する。
この発明において携帯端末用タッチペン１０は、図９に示す端末機器１１の音声入出力用のジャック１２に挿入するプラグ２１と、該プラグ２１に外側からはめ込んだタッチペン用カバー２２とで構成され、前記プラグ２１は指で挟んで持つ部分を含めて導電性を備えており、前記端末機器１１の静電容量式のタッチパネル１３に当ててタッチペンとして使用するためのものである。
【００１６】
図１ないし図８は、この発明の実施の一形態に係る携帯端末用タッチペンの実施の形態を示している。
図１はこの発明の携帯端末用タッチペンの１実施例を示す中央を縦に切断した状態の側面図、図２はその断面図、図３はその斜視図、図４はその中央を縦に切断した状態の斜視図である。
また、図５は前記携帯端末用タッチペンの保持部分に先端部分をはめ込む段階の中央を縦に切断した状態の側面図、図６はその断面図、図７はその斜視図、図８はその中央を縦に切断した状態の斜視図である。
【００１７】
前記携帯端末用タッチペン１０を構成するタッチペン用カバー２２について、前記図１ないし図８に基いて詳細に説明する。
図１ないし図４に示すように、前記タッチペン用カバー２２は、前記プラグの側面にはめ込む部分２３は絶縁性を持ち、少なくとも先端部分２４は導電性を有する弾性素材で構成するとともに、前記プラグの側面にはめ込む部分２３と、導電性を有する弾性素材で構成した先端部分２４とを一体化したことを特徴としている。
【００１８】
とりわけ、前記タッチペン用カバー２２は、前記プラグの側面にはめ込む部分２３と、導電性を有する弾性素材で構成した先端部分２４とをシリコンゴム製として一体化し、前記先端部分２４には導電性カーボンや銅、鉄、その他の導電金属、その他の導電材料を配合し、導電性を持たせている。
ちなみに、前記タッチペン用カバー２２は、前記プラグの側面にはめ込む部分２３と、導電性を有する弾性素材で構成した先端部分２４とをシリコンゴムの成形工程において一体成形により一体化することができる。
【００１９】
前記実施例においては、図５ないし図８に示すように、前記タッチペン用カバー２２は前記プラグの側面にはめ込む部分２３の端部外周に段差２３ａを設け、導電性を有する弾性素材で構成した先端部２４分を前記端部外周の段差２３ａ部分にはめ込んで接合一体化している。
この接合には、接着剤を使用して接着したり、加熱して溶着する手段を採用することができる。
【００２０】
なお、前記各図において３１は保持部分２３の後端に形成したフランジ部であり、前記保持部分２３の剛性を高めることにより、前記タッチペン用カバー２２を取り扱いやすいようにしてある。
また前記先端部分２４の端部は、前記プラグ２１の先端を覆うように閉じており、かつ前記端末機器１１の静電容量式のタッチパネル１３に所望の面積で接触するよう、所定の肉厚を備えたり、伸縮あるいは変形しやすい軟質素材で構成されている。
【００２１】
この発明によれば、タッチペンと同様にタッチの際の誤動作を防止でき、タッチパネルを汚すことがなく、携帯時などの取り扱いが容易な静電容量式の携帯端末用タッチペンを得ることができる。
【００２２】
また、端末機器の音声入出力用のジャックに挿入するプラグ２１をそのまま携帯端末用タッチペンとすることができ、したがって前記プラグ２１の後端部に装飾部材２５を直接取り付けることができて装飾性に優れた携帯端末用タッチペンを得ることができるようになった。図９では装飾部材２５として丸玉の例を示しているが、前記プラグ２１の端部に取り付けた、石枠にはめ込んだ宝石や貴金属製の装飾パーツその他、適宜の装飾部材を採用することができることはいうまでもない。
【００２３】
前記携帯端末用タッチペン１０を構成するプラグ２１の使用に際しては、図１０に示すように前記プラグ２１の末端の金属部分（導電性）を指３２で挟んで持ち、前記プラグ２１の先端を覆うように閉じている前記タッチペン用カバー２２の先端部分２４を前記端末機器１１の静電容量式のタッチパネル１３に押し当てる。そうすることによって人体の微弱電流が指３２から前記プラグ２１の金属部分を経て、導電性を有する弾性素材で構成した先端部２４からタッチパネル１３に電気的に導通させることができる。
【００２４】
その際、前記先端部分２４が弾性変形し、前記端末機器１１の静電容量式のタッチパネル１３に電気的に確実に導通することができる所望の面積を確保した状態で接触させることができる。
もちろん、前記端末機器１１の静電容量式のタッチパネル１３に所望の面積で接触させるためには、前記先端部分２４の肉厚や、軟質素材の変形度合いや伸縮の度合い等を適宜調整することが望ましい。
タッチペンとして使用しないときは、図９に示すように前記タッチペン用カバー２２を外した状態で前記プラグ２１を端末機器１１の音声入出力用のジャック１２に差し込み、該ジャック１２からのゴミの侵入を防止するために使用される。
【産業上の利用可能性】
【００２５】
この発明の携帯端末用タッチペンは、静電容量式のタッチパネルが採用され、音声入出力用のジャックが取り付けられている端末機器であれば、携帯電話やタブレット型情報端末のような携帯型情報端末（ＰＤＡ）、携帯型音楽プレーヤ等のみならず、各種の携帯端末やＰＣその他の電子機器にも適用できることはいうまでもない。
【符号の説明】
【００２６】
１０  携帯端末用タッチペン
１１  端末機器
１２  音声入出力用ジャック
１３  タッチパネル
２１  プラグ
２２  タッチペン用カバー
２３  保持部分
２３ａ  段差
２４  先端部分
２５  装飾部材
３１  フランジ部
３２  指
【図１】
2014178782.tif 000003
【図２】
2014178782.tif 000004
【図３】
2014178782.tif 000005
【図４】
2014178782.tif 000006
【図５】
2014178782.tif 000007
【図６】
2014178782.tif 000008
【図７】
2014178782.tif 000009
【図８】
2014178782.tif 000010
【図９】
2014178782.tif 000011
【図１０】
2014178782.tif 000012